(57)【要約】【課題】  ネクタイピンとしてのクリップに関して、ネクタイとのフィット感が良好となるように全体の厚さ寸法をより小さくすることを課題とする。なおこの解決により、ネクタイピン以外の身飾り品としてのクリップなど、幅広い用途も開発したい。【解決手段】  クリップの本体部と、該本体部の裏側に位置するように本体部に設けた支持片と、該支持片に回動自在に取り付けられ後述する挟持部材を前記本体部側に押さえ付けて固定するための留具と、前記支持片の取付側から且つ前記支持片の上方に位置するように前記本体部に取り付けられると共に、前記支持片と交差して前記留具の下側に位置するように形成された前記挟持部材と、から成るものとした。【選択図】図１
2013031636.tif 000002
【特許請求の範囲】
【請求項１】
クリップの本体部と、該本体部の裏側に位置するように本体部に設けた支持片と、該支持片に回動自在に取り付けられ後述する挟持部材を前記本体部側に押さえ付けて固定するための留具と、前記支持片の取付側から且つ前記支持片の上方に位置するように前記本体部に取り付けられると共に、前記支持片と交差して前記留具の下側に位置するように形成された前記挟持部材と、から成るクリップ。
【請求項２】
さらに前記本体部と前記挟持部材との間に、前記本体部か前記挟持部材かの何れか一側に設けられて他側に弾接する、バネ片を有する請求項１に記載のクリップ。
【請求項３】
前記挟持部材に切込部を設けて該切込部の内側を、前記支持片の取付側に向かう前記バネ片とすると共に、前記切込部の内側で前記支持片と交差するようにして成る、請求項２に記載のクリップ。
【請求項４】
前記挟持部材に切込部を設けて該切込部の内側で前記支持片と交差するようにすると共に、前記挟持部材を前記支持片の取付側とは反対の側で反して前記支持片の取付側に向かう前記バネ片として成る、請求項２に記載のクリップ。
【請求項５】
前記切込部は前記挟持部材上で略コ字状を呈し、前記留具の前記挟持部材を押さえ付ける部位が前記切込部の両側に接するように二股状に形成されている、請求項３に記載のクリップ。
【請求項６】
前記切込部は前記挟持部材上に開孔した略方形の開孔部であり、前記留具の前記挟持部材を押さえ付ける部位が前記開孔部の両側に接するように二股状に形成されている、請求項４に記載のクリップ。
【請求項７】
前記挟持部材が前記本体部に対して着脱自在に組み付けられている、請求項１〜請求項６の何れか一に記載のクリップ。
【発明の詳細な説明】
【技術分野】
【０００１】  この発明は、身飾り品として被服の襟などに取り付けたりネクタイピンなどとして用いられる、装飾用のクリップに関する。
【背景技術】
【０００２】  当発明者は特開２０１０−１７９０５１で新しいネクタイピンを提案した。このものにはそれまでのネクタイピンに比して、ネクタイを安定的に保持することが出来、装着中にずれたり傾いたりすることがないと言う利点がある。【０００３】  特開２０１０−１７９０５１のネクタイピンは、図８で示すように、一対の腕部を有する支持部９０が本体９の一端部に結合されており、下側にバネ部材９２を備えて後端部を前記支持部９０に非固定的に係止させた挟持部材９１を備えており、この挟持部材の上方に配置されて挟持部材９１を上方から押圧し得るように、前記支持部９０の一対の腕部の間に軸９４を以て回動自在に取り付けられた留具９３を備えているものである。なお矢線Ｂは本体９から支持部９０の最上部までの厚さ寸法を表す。
【先行技術文献】
【特許文献】
【０００４】
【特許文献１】特開２０１０−１７９０５１号公報
【発明の概要】
【発明が解決しようとする課題】
【０００５】  確かに特開２０１０−１７９０５１のネクタイピンは、それまでのネクタイピンでは出来なかったネクタイの安定保持が可能な点や、装着中のずれや傾きがない点で優れた発明であった。しかしながら図８の矢線Ｂで示すように、本体９から支持部９０の最上部までの厚さ寸法が大きく、ネクタイピンのあたりを胸元から浮かせてしまうと言うことが問題視されてしまう場合があった。【０００６】  そこでこの発明は、ネクタイやシャツとのフィット感が良好となるように厚さ寸法をより小さくすることを課題とする。なおこの解決によりネクタイピン以外のクリップとしての幅広い用途も開発したいものである。
【課題を解決するための手段】
【０００７】  上記の課題は、クリップの本体部と、該本体部の裏側に位置するように本体部に設けた支持片と、該支持片に回動自在に取り付けられ後述する挟持部材を前記本体部側に押さえ付けて固定するための留具と、前記支持片の取付側から且つ前記支持片の上方に位置するように前記本体部に取り付けられると共に、前記支持片と交差して前記留具の下側に位置するように形成された前記挟持部材と、から成るクリップとすることで解決される。【０００８】  この発明で特徴的な点は、挟持部材が、前記支持片の上方に位置するように前記本体部に取り付けられていると共に、中程で前記支持片と交差して前記留具の下側に位置するように形成されている点にある。この構成によれば、留具すなわち支持片の高さを低く取ることが出来るような形状に挟持部材が為されているため、全体の厚さ寸法がより小さいものとなっている。後述するが図３の矢線Ａで示される本体１から支持片１２の最上部までの厚さ寸法は、上述した矢線Ｂで示した厚さ寸法よりもずっと小さいものに出来る。従ってネクタイピンのあたりが胸元から浮くことが好ましくないと考えるのであればこの発明の構成を採用すれば良い。また胸元から浮かないと言うことであれば、例えばシャツの襟に挟んで取り付けるようなアクセサリーとしても構成することが可能であり、この場合には襟が浮いて見えない利点となって現れる。従って本体部や挟持部材の大きさは任意であり、その形状も自由にデザインして良いものである。【０００９】  さらに前記本体部と前記挟持部材との間に、前記本体部か前記挟持部材かの何れか一側に設けられて他側に弾接する、バネ片を有するものとすることが出来る。このバネ片によってより強い挟み付けが可能となる。【００１０】  ところで前記挟持部材に切込部を設けて該切込部の内側を、前記支持片の取付側に向かう前記バネ片とすると共に、前記切込部の内側で前記支持片と交差するようにして成るものとすることが出来る。ここで挟持部材は前記バネ片の役割を担う。この交差する構成に関連して、前記切込部は前記挟持部材上で略コ字状を呈して、前記留具の前記挟持部材を押さえ付ける部位が前記切込部の両側に接するように二股状に形成されているものとしても良い。切込部の内側にバネ片が形成されると共に、この切込部の中に支持片を挿入して交差させることが出来るので、必要であれば挟持部材の幅をより広く取ることが可能である。そして先部分が二股状である所の留具にて、挟持部材の切込部の両側を且つ支持片の両側から安定的に押さえ付けることが出来る。【００１１】  あるいは前記挟持部材に切込部を設けて該切込部の内側で前記支持片と交差するようにすると共に、前記挟持部材を前記支持片の取付側とは反対の側で反して前記支持片の取付側に向かう前記バネ片として成るものとすることが出来る。同様に挟持部材は前記バネ片の役割を担う。特に前記挟持部材を反して前記支持片の取付側に向かう前記バネ片の幅は比較的広く取れるため、強い挟み付けがより安定的なものとなる。また上述した交差する構成に関連して、前記切込部は前記挟持部材上に開孔した略方形の開孔部であり、前記留具の前記挟持部材を押さえ付ける部位が前記開孔部の両側に接するように二股状��形成されているものとしても良い。前記開孔部の中に支持片を挿入し交差させて開孔部の両側を使用することが出来るようにしたのである。従って必要であれば挟持部材の幅をより広く取ることが可能である。そして先部分が二股状である所の留具にて、挟持部材の切込部の両側を且つ支持片の両側から安定的に押さえ付けることが出来るのである。【００１２】  さて上述のクリップは何れも、前記挟持部材が前記本体部に対して着脱自在に組み付けられているものとすることが出来る。この構成によりクリップの本体部に挟持部材を取り付ける作業が容易なものとなる。これは上述したような挟持部材の切込部が挟持部材上でコ字状を呈しておりこのコ字状の切込部の内側で前記支持片が交差する構成に於いても、挟持部材の切込部が挟持部材上に開孔した略方形の開孔部でありこの開孔部の内側で前記支持片が交差する構成に於いても、前記挟持部材を後から容易に本体部に組み付けることが出来る効果として現れる。このようにして挟持部材を本体部に組み付けた後に、留具を支持片に取り付けるようにするのである。
【発明の効果】
【００１３】  この発明によれば、挟持部材がその中程で支持片と交差して留具の下側に位置するように構成されているため、全体の厚さ寸法をより小さく出来、ネクタイや胸元とのフィット感が良好になる、と言う効果を奏して所期の目的を達成している。
【図面の簡単な説明】
【００１４】
【図１】  実施例１を分解斜視図にて表した説明図である。
【図２】  支持部１０を断面視した状態で表す使用状態の説明図である。
【図３】  支持部１０を断面視した状態で表す使用状態の説明図である。
【図４】  実施例２を平面視で表した説明図である。
【図５】  実施例３を分解斜視図にて表した説明図である。
【図６】  使用状態の説明図である。
【図７】  使用状態の説明図である。
【図８】  従来例の側面視による説明図である。
【発明を実施するための形態】
【実施例１】
【００１５】  図１乃至図３でこの実施例のネクタイピン（クリップである）を表す。クリップの本体１の裏側に支持片１２を位置させるのであるが、本体１の裏側の一端部に支持部１０を固定し、この支持部１０に支持片１２を固定するようにしている。前記支持部１０には挿着口１１が開口されており、ここに後述する挟持部材２の一端部の差込部２０が挿着出来るようになっている。また支持片１２の先端部には後述する留具３をその軸孔３１と軸１４とで回動自在に取り付けるための軸孔１３が設けられている。【００１６】  挟持部材２は一端部を曲げて差込部２０を形成し、全体が略Ｌ字形を呈している。また挟持部材２は支持部１０に対して着脱自在であるが、差込部２０を波状に形成して、挿着口１１から支持部１０に押し込んだ際に抜けにくくなるようにしている。また挟持部材２にはコ字状を呈する切込部２１を設けて、切込部２１の内側を前記差込部２０に向かうと共に本体１の裏面に弾接するバネ片２２としている。また挟持部材２をその差込部２０を挿着口１１に押し込んで支持部１０に取り付ける時には、前記支持片１２を切込部２１の内側に通すようにするが、そうすると挟持部材２はその中央部あたりで支持片１２と交差するように、挟持部材２にはカーブが付けられている。【００１７】  挟持部材２が本体１に組み付けられた上に、前記支持片１２に留具３が取り付けられるのであるが、留具３の軸孔３１の先には二股状の突部３０，３０が形成されており、この突部３０，３０が前記挟持部材２の切込部２１，２１の両側の部位を押さえ付け得るように構成されている。【００１８】  このようにして、図２で示すように、挟持部材２は支持部１０のあたりでは支持片１２の上方に位置しているも、挟持部材２はその中央部あたりで支持片１２と交差して留具３の下側に位置することになる。従って挟持部材２のバネ片２２と本体１との間にネクタイとシャツを挿入し得る程度の隙間がありさえすれば、本体１から留具３までの厚さを幾らでも薄くすることが出来るのである。【００１９】  図３で示すように、本体１と挟持部材２のバネ片２２との間にネクタイなどを挿入して留具３を図で時計方向に回動させると、留具３の先の二股状の突部３０，３０が挟持部材２を押さえ付けたまま止まる。この際に挟持部材２のバネ片２２が広い面積でネクタイに弾接して、ネクタイをフィット感も良好に留めることが出来る。なおこの時の薄さを矢線Ａで示しているので、図８の矢線Ｂで示した厚さ寸法と比較されたい。【００２０】  このネクタイピンとしてのクリップを外すには、図２で矢線で示したように留具３を反時計方向に回動させて、図示のような状態にすれば良い。
【実施例２】
【００２１】  図４はこの実施例のクリップを、本体１５の裏面方向から平面視したものを表したものである。上述した実施例１では、挟持部材２をその差込部２０を挿着口１１に押し込んで支持部１０に取り付ける際に、挟持部材２をその中央部あたりで支持片１２と交差させ、前記支持片１２を切込部２１の内側に通すようにしている。これに対して実施例２では、全体の厚さ寸法を少なくすべく、挟持部材２３と支持片１７と交差させる点に変わりはないものの両者を隣り合わせにした構成としている点に特徴を有する。【００２２】  すなわちクリップの本体１５の裏側の一端部に支持部１６が固定されており、この支持部１６に直接支持片１７と挟持部材２３とが並べて固定されている。支持片１７の先端部には留具３２が、挟持部材２３の上方に位置するようにして軸１８で回動自在に取り付けられている。従って挟持部材２３には、支持部１６の所の支持片１７よりも高い位置から支持片１７と交差して留具３２の下に入り込むようなカーブが付されている。また挟持部材２３には支持片１７の下側に入り込むようなバネ片２５を形成するための切込部２４が設けられている。このバネ片２５は挟持部材２３よりも本体１５に近い位置にあるようにカーブが付けられている。また留具３２の軸１８で取り付けられた側の先端部分は、挟持部材２３を上から押さえ付けるための突部３３となっている。
【実施例３】
【００２３】  図５乃至図７はこの実施例のクリップ（ネクタイピン）を表したものである。クリップの本体４の裏側に略Ｌ字形状の支持棒４１をその支持部である所の接着部４０にて直接的に接着固定している。支持棒４１の先端部には後述する留具６をその軸孔６１と軸４３とで回動自在に取り付けるための軸孔４２が設けられている。【００２４】  挟持部材５は一端部が曲げられており、そこに上記支持棒４１に通すための挿通孔５０が開孔されている。また挟持部材５に細長い切込部５１を設けて、この切込部５１に上記支持棒４１を通した時に切込部５１の内側で支持棒４１と交差するようにしている。すなわち支持棒４１は挿通孔５０と切込部５１の挿通孔５０側の端部とを貫通して挟持部材５を支持するように構成されている。次に挟持部材５は支持棒４１の取付側すなわち接着部４０側とは反対側となる返し部５２で内側に反されて支持棒４１の取付側に向かいつつ、後述するように留具６の突部６０で本体４の方に押された時には本体４の裏面に弾接する部位となり、支持棒４１の近傍で再び内側に反されて返し部５２側に向かうような、バネ片５３とされている。なおこの実施例では、バネ片５３の、支持棒４１の近傍にて内側に反されて返し部５２側に向かう部位の横幅を、切込部５１が設けられている部位の横幅にほぼ同じとしているが、この部位を、挟持部材５が留具６の突部６０に押圧された時には切込部５１の中に入り込み得るような細さに形成するようにしても良く、あるいはバネ片５３を、支持棒４１に掛かるも支持棒４１を跨ぐような切欠部を設けてこの部位から再び内側に反されて返し部５２側に向かうように形成しても良く、任意に設計することが可能である。いずれにせよ本体４に挟持部材５を取り付ける作業が容易なものとなっている。このようにして挟持部材５を本体４に組み付けた後に、次に説明する留具６を支持棒４１に取り付けるようにするのである。【００２５】  さて挟持部材５が本体４に組み付けられた上に、上記支持棒４１に留具６が取り付けられるのであるが、留具６の軸孔６１の先には二股状の突部６０，６０が形成されており、この突部６０，６０が上記挟持部材５の略方形の開孔部を形成する所の切込部５１の両側の部位を押さえ付け得るように構成されている。これによれば支持棒４１を切込部５１の中に挿入し交差させて略方形の開孔部の両側を使用することが出来るようになっている。従って必要であれば挟持部材５の幅をより広く取ることが可能である。そして先端部分が二股状である所の留具６にて、挟持部材５の切込部５１の両側を且つ支持棒４１の両側から安定的に押さえ付けることが出来るのである。【００２６】  このようにして図６で表わすように、挟持部材５は支持棒４１の略Ｌ字状の折曲げ部の辺りでは支持棒４１の上方に位置するも、挟持部材５は次第に支持棒４１と交差して留具６の下側に位置することになるのである。従って挟持部材５のバネ片５３と本体４との間にネククイとシャツを挿入し得る程度の隙間がありさえすれば、本体４から留具６までの厚さを幾らでも薄くすることが出来るのである。【００２７】  図７で示すように、本体４と挟持部材５のバネ片５３との間にネクタイなどを挿入して留具６を図で時計方��に回動させると、留具６の先の二股状の突部６０，６０が挟持部材５を押さえ付けたまま止まる。この際に挟持部材５のバネ片５３が広い面積でネクタイに弾接して、ネクタイをフィット感も良好に留めることが出来る。なおこの時の薄さを矢線Ａで示しているので、図８の従来例に於ける矢線Ｂで示した厚さ寸法と比較されたい。【００２８】  このネクタイピンとしてのクリップを外すのには、図６で矢線で示したように留具６を反時計方向に回動させて、図示のような状態にすれば良い。
【産業上の利用可能性】
【００２９】  なおこの発明のクリップの構成は、ネクタイピンや襟飾り以外にも、書類挟みやバッジや髪飾りなどとして利用することが可能であり、その用途には広いものがある。これ等もまたこの発明の権利範囲内のものである。
【符号の説明】
【００３０】１‥‥本体      １０‥支持部    １１‥挿着口    １２‥支持片    １３‥軸孔
１４‥軸        １５‥本体      １６‥支持部    １７‥支持片    １８‥軸
２‥‥挟持部材  ２０‥差込部    ２１‥切込部    ２２‥バネ片    ２３‥挟持部材
２４‥切込部    ２５‥バネ片    ３‥‥留具      ３０‥突部      ３１‥軸孔
３２‥留具      ３３‥突部      ４‥‥本体      ４０‥支持部    ４１‥支持棒
４２‥軸孔      ４３‥軸        ５‥‥挟持部材  ５０‥挿通孔    ５１‥切込部
５２‥返し部    ５３‥バネ片    ６‥‥留具      ６０‥突部      ６１‥軸孔
【図１】
2013031636.tif 000003
【図２】
2013031636.tif 000004
【図３】
2013031636.tif 000005
【図４】
2013031636.tif 000006
【図８】
2013031636.tif 000007
【図５】
2013031636.tif 000008
【図６】
2013031636.tif 000009
【図７】
2013031636.tif 000010